(57)【要約】      （修正有）【課題】操作に便利な引出しスライドレールの着脱装置の提供。【解決手段】内スライドレール１、中スライドレール２、外スライドレール３、内スライドレール１と中スライドレール２の間の第１スライドブシュ１０、及び中スライドレール２と外スライドレール３の間の第２スライドブシュを具えている。外スライドレール３はキャビネットの引出し収容空間の内側壁の所定位置に螺子止めされ、内スライドレール１は引出しと共に外向きに引き出され、或いは内向きに押し込まれて収容され、中スライドレール２は前側開口にストッパブロック４が設けられ、ストッパブロック４の両側にチャネル４１、４２があり、且つその一側の上方に係止ブロック４３が設けられて内スライドレール１に固定された着脱装置５の係止或いは離脱に供される。【選択図】図４
0003105928.tif 000002
【実用新案登録請求の範囲】
【請求項１】
一体射出成形により形成されると共に位置決め孔を具えてネジ部品により内スライドレールの適宜位置に螺子止めされる引出しスライドレールの着脱装置において、
該着脱装置は、後側の位置決め孔より後方に係止部が延伸され、該係止部は一側辺が内スライドレールの側壁と距離を保持し、もう一側辺に後ろから前に内スライドレールのもう一つの側壁との間のギャップが漸次縮小される案内斜側面が形成され、該係止部の前側に細片体が延設され、該細片体の一側が係止部の後側の案内斜側面の後側と係止溝を形成し、該細片体の幅は後ろから前に細くなり、且つ該細片体の前側の最細部が前向きに折り曲げられて延伸され折り曲げ部が形成され、該折り曲げ部の最湾曲部分が内スライドレールの別の側壁に接近し、該折り曲げ部の前端より後ろ向きに幅が広い施力部が形成され、該施力部の最も広い部分の幅が内スライドレール１の両側壁の間の距離より小さく、且つ施力部の前側に凹部と施力ブロックがあり、手指による施力に用いられることを特徴とする、引出しスライドレールの着脱装置。
【請求項２】
請求項１記載の引出しスライドレールの着脱装置において、着脱装置の施力部の最も広い部分の両側が円弧状に形成され、内スライドレールの両側壁との接触面が減らされて摩擦抵抗が減らされたことを特徴とする、引出しスライドレールの着脱装置。
【請求項３】
請求項１記載の引出しスライドレールの着脱装置において、着脱装置の施力部の施力ブロックが面取り部を具え、凹部の中央にスロットが設けられ、後側に後ろ向きに前が低く後ろが高い傾斜面が接続され、凹部が手指に施力される時に人体工学に符合する施力操作が行なえることを特徴とする、引出しスライドレールの着脱装置。
【考案の詳細な説明】
【技術分野】
【０００１】
本考案は一種の引出しスライドレールの着脱装置に係り、引出しを取り外す時に、左右両側の施力方向を考慮する必要がなく、操作が簡単、確実であり、操作に便利で、また楽に行なえ、脱落防止棒の施力部が人体工学設計に符合し、操作しやすい引出しスライドレールの着脱装置に関する。
【背景技術】
【０００２】
周知の引出しスライドレールは図１から図３に示されるようであり、中スライドレール６の前側に固定されたストッパブロック６１に凸設された凸塊６１１が内スライドレール７に設けられた脱落防止棒８の係止板８０をブロックする作用により内スライドレール７の離脱を防止する。内スライドレール７と内スライドレール７に接続された引出し（図示せず）を取り外したい時は、手指で内スライドレール７に固定された脱落防止棒８の操作棒８１を上向きに回すか、下向きに回せば、順調に前述のストッパブロック６１の係止ブロック６１１を通過させることができる。しかしこのような構造は以下のような欠点を有している。
１．引出しの両側が内スライドレール７に螺子止めされている（図２、３参照）ため、二つの内スライドレール７を取り外したい時、使用者の両手は水平方向に抜き取る方向の両側に伸ばされ、さらに手指で上向き或いは下向きに脱落防止棒８の操作棒８１を回さねばならず、手指により施力しにくく、力がかかりまた自然な動作でないため使用者にトラブルをもたらす。
２．引出しを抜き取りたい時、引出し両側に接続された内スライドレール７に設けられた脱落防止棒８の操作棒８１を使用者の片手の手指で上向きに回し、もう一方の手で下向きに押さなければ内スライドレール７を引出しと共に抜き取ることはできず、使用者は左右両側方向のどの操作棒８を上に回し、どちらの辺を下圧しなければならないかを了解していなければならず、このため、使用者にトラブルと不便をもたらした。且つ使用者が方向を知らなかったり忘れたり、或いは方向が不確定な状況で操作棒を回して引っ張っても引出しを取り外せず、強引に引っ張ると損壊の状況を形成する。
【考案の開示】
【考案が解決しようとする課題】
【０００３】
ゆえに、周知の製品の欠点を改善でき、構成部品が簡単で組立に便利な引出しスライドレールの着脱棒装置が求められている。
【０００４】
本考案の主要な目的は、一種の引出しスライドレールの着脱装置を提供することにあり、それは、内スライドレールを取り外す時の前向きに着脱装置を引く動作がその手指前端を曲げて並びに施力することにより達成され、手指を上向き或いは下向きに回す必要がなく、これにより操作に便利で楽であり、且つ着脱装置の施力部の凹部と施力ブロックの人体工学に符合した設計によっても、更に操作が快適に行なわれるものとする。
【０００５】
本考案の別の目的は、一種の引出しスライドレールの着脱装置を提供することにあり、それは引出し両側に固定された内スライドレールを取り外したい時に、左右手指の施力の方向性を考慮する必要がなく、着脱装置の施力部を前向きに引っ張れば、その折り曲げ部が駆動され前向きに伸張されて係止部の係止溝を駆動して内スライドレールのもう一つの側壁方向に向けて偏移させ、これにより中スライドレールのストッパブロックの係止ブロックの幅より大きいギャップが形成されて、これによりストッパブロックの係止ブロックを順調に通過させられ、引出し取り外しの目的を達成できるものとする。
【０００６】
本考案の更に別の目的は、一種の引出しスライドレールの着脱装置を提供することにあり、それは、該着脱装置が単一部品とされ且つ構造が簡単であり、その内スライドレール上方への取付時に組立が快速に行なわれて便利であり並びに労働と時間を節約でき、これにより製造コストを下げることができるものとする。
【課題を解決するための手段】
【０００７】
請求項１の考案は、一体射出成形により形成されると共に位置決め孔を具えてネジ部品により内スライドレールの適宜位置に螺子止めされる引出しスライドレールの着脱装置において、
該着脱装置は、後側の位置決め孔より後方に係止部が延伸され、該係止部は一側辺が内スライドレールの側壁と距離を保持し、もう一側辺に後ろから前に内スライドレールのもう一つの側壁との間のギャップが漸次縮小される案内斜側面が形成され、該係止部の前側に細片体が延設され、該細片体の一側が係止部の後側の案内斜側面の後側と係止溝を形成し、該細片体の幅は後ろから前に細くなり、且つ該細片体の前側の最細部が前向きに折り曲げられて延伸され折り曲げ部が形成され、該折り曲げ部の最湾曲部分が内スライドレールの別の側壁に接近し、該折り曲げ部の前端より後ろ向きに幅が広い施力部が形成され、該施力部の最も広い部分の幅が内スライドレール１の両側壁の間の距離より小さく、且つ施力部の前側に凹部と施力ブロックがあり、手指による施力に用いられることを特徴とする、引出しスライドレールの着脱装置としている。
請求項２の考案は、請求項１記載の引出しスライドレールの着脱装置において、着脱装置の施力部の最も広い部分の両側が円弧状に形成され、内スライドレールの両側壁との接触面が減らされて摩擦抵抗が減らされたことを特徴とする、引出しスライドレールの着脱装置としている。
請求項３の考案は、請求項１記載の引出しスライドレールの着脱装置において、着脱装置の施力部の施力ブロックが面取り部を具え、凹部の中央にスロットが設けられ、後側に後ろ向きに前が低く後ろが高い傾斜面が接続され、凹部が手指に施力される時に人体工学に符合する施力操作が行なえることを特徴とする、引出しスライドレールの着脱装置としている。
【考案の効果】
【０００８】
本考案の引出しスライドレールの着脱装置は、引出しを取り外す時に、左右両側の施力方向を考慮する必要がなく、操作が簡単、確実であり、操作に便利で、また楽に行なえ、脱落防止棒の施力部が人体工学設計に符合し、操作しやすい。
【考案を実施するための最良の形態】
【０００９】
図４から図１１に示されるように、本考案は引出しスライドレールの着脱装置を提供し、該引出しスライドレールは、内スライドレール１、中スライドレール２、外スライドレール３、内スライドレール１と中スライドレール２の間の第１スライドブシュ１０、及び中スライドレール２と外スライドレール３の間の第２スライドブシュ（図示せず）を具えている。該外スライドレール３はキャビネット（図示せず）の引出し収容空間の内側壁の所定位置に螺子止めされ、内スライドレール１は引出し（図示せず）と共に外向きに引き出され、或いは内向きに押し込まれて収容され、且つ前述の中スライドレール２は前側開口にストッパブロック４が設けられ、該ストッパブロック４の両側にチャネル４１、４２があり、且つその一側の上方に係止ブロック４３が設けられて内スライドレール１に固定された着脱装置５の係止或いは離脱に供される。前述の内スライドレール１はネジ部品１１０でその内端面の所定の部分が位置決め孔５１を具えた着脱装置５と螺子止めされ、着脱装置５は一体射出成形の片状体とされ、且つ別に係止溝５２３が設けられて中スライドレール２に設けられたストッパブロック４の一側の係止ブロック４３と係止或いは離脱の状態を呈する。
【００１０】
本考案の特徴は以下のとおりである。該着脱装置５は、後側の位置決め孔５１より後方に係止部５２（図８）が延伸され、該係止部５２は一側辺５２１が内スライドレール１の側壁１１と適宜距離を保持し、もう一側辺に後ろから前に内スライドレール１のもう一つの側壁１２との間のギャップが漸次縮小される案内斜側面５２２が形成され、該係止部５２の前側に細片体５３が延設され、該細片体５３の一側が係止部５２の後側の案内斜側面５２２の後側と係止溝５２３を形成し、該細片体５３の幅は後ろから前に細くなり、且つ該細片体５３の前側の最細部５３１が前向きに折り曲げられて延伸され折り曲げ部５４が形成され、該折り曲げ部５４の最湾曲部分５４１が内スライドレール１の別の側壁１２に接近し、該折り曲げ部５４の前端より後ろ向きに幅が広い施力部５５が形成され、該施力部５５の最も広い部分の幅が内スライドレール１の両側壁１１、１２の間の距離より小さく、且つ施力部５５の前側に凹部５５１と施力ブロック５５２があり、手指による施力に用いられる。
【００１１】
図１０は着脱装置５が中スライドレール２に未進入の状態を示す。内スライドレール１の両側壁１１、１２の前端が中スライドレール２に設けられたストッパブロック４の両側のチャネル４１、４２を通過して中スライドレール２に進入する時、着脱装置５はその係止部５２の一側の案内斜側面５２２により順調にストッパブロック４の一側の係止ブロック４３を押圧、通過し、係止部５２の案内斜側面５２２が完全に該係止ブロック４３を通過する時、プラスチック材質の弾性回復力により係止部５２が原状に回復し、その係止溝５２３がストッパブロック４の係止ブロック４３をブロックし（図１１）、これにより内スライドレール１の離脱を防止する。内スライドレール１とそれに接続された引出しを抜き取りたい時は、手指で着脱装置５の施力部５５を前向きに引っ張ると（図９）、折り曲げ部５４が前向きに伸張し、係止部５２の係止溝５２３が内スライドレール１のもう一つの側壁１２方向に偏移し、これにより該側壁１２とストッパブロック４の係止ブロック４３の幅より大きなギャップを形成し、これにより中スライドレール２に設けられたストッパブロック４を順調に通過してその係止ブロック４３の阻止を受けず、これにより内スライドレール１とそれに接続された引出しを順調に抜き取ることができる。
【００１２】
また、前述の着脱装置５の施力部５５の最も広い部分の両側５５３、５５４は円弧状に形成され、内スライドレール１の両側壁１１、１２との接触面積が減らされて摩擦抵抗が減らされる。
【００１３】
更に、前述の着脱装置５の施力部５５の施力ブロック５５２は面取り部を具え、凹部５５１の中央にスロット５５１１を具え、且つ後側に後ろ向きに前が低く後ろが高い傾斜面５５５が接続され、これにより凹部５５１が手指施力時に人体工学に符合する施力操作が行なえるものとされる。
【００１４】
総合すると、本考案は以下のような優れた機能を具えている。
１．内スライドレール１を取り外すため前向きに着脱装置５を引っ張る動作は手指前端を僅かに曲げて施力するだけでよく、手指を上向き或いは下向きに回す必要がなく、これにより操作に便利で楽であり、且つ着脱装置５の施力部５５の凹部５５１と施力ブロック５５２の人体工学に符合した設計によっても、更に操作が快適に行なわれる。
２．引出し両側に固定された内スライドレール１を取り外したい時に、左右手指の施力の方向性を考慮する必要がなく、着脱装置５の施力部５５を前向きに引っ張れば、その折り曲げ部５４が駆動され前向きに伸張されて係止部５２の係止溝５２３を駆動して内スライドレール１のもう一つの側壁１２方向に向けて偏移させ、これにより中スライドレールのストッパブロック４の係止ブロック４３の幅より大きいギャップが形成されて、これによりストッパブロック４の係止ブロック４３を順調に通過させられ、引出し取り外しの目的を達成できる。
３．着脱装置５が単一部品とされ且つ構造が簡単であり、その内スライドレール１上方への取付時に組立が快速に行なわれて便利であり並びに労働と時間を節約でき、これにより製造コストを下げることができる。
【００１５】
また、前述の実施例は三層式引出しスライドレール（即ち、内スライドレール、中スライドレール、外スライドレールで組成された三段式引出しスライドレール）に運用されるが、同じ目的の構造は二層式のスライドレール（図示せず）にも運用可能で、このような二層式引出しスライドレールは内スライドレールと外スライドレールで組成されて、前述の実施例との異なる点は、三層式引出しスライドレールではストッパブロック４が中スライドレール２に固定されるが、二層式引出しスライドレールではストッパブロックが外スライドレールに固定されることである。
【図面の簡単な説明】
【００１６】
【図１】周知の引出しスライドレールの立体分解図である。
【図２】周知の引出しスライドレールの内スライドレールの部分平面図である。
【図３】周知の引出しスライドレールの別方向の内スライドレールの部分平面図である。
【図４】本考案の実施例の着脱装置の内スライドレールへの組付けを示す立体分解図である。
【図５】本考案の実施例の着脱装置の内スライドレールへの組付けを示す立体図である。
【図６】本考案の実施例の着脱装置の内スライドレールへの組付けを示す分解図であるが、中スライドレール、外スライドレールと組合せ前の状態である。
【図７】図５の立体組合せ図である。
【図８】本考案の実施例の着脱装置の内スライドレールへの組付けを示す平面図である。
【図９】本考案の実施例の着脱装置が内スライドレールに組付けられ且つ着脱装置が前向きに引っ張られた後の平面図である。
【図１０】本考案の実施例中の内スライドレールの着脱装置が中スライドレールに取付られていない状態の平面図である。
【図１１】本考案の実施例中の内スライドレールの着脱装置が中スライドレールに設けられたストッパブロックの係止ブロックのブロックを受ける状態を示す平面図である。
【符号の説明】
【００１７】
１  内スライドレール
１０  第１スライドブシュ
１１、１２  側壁
１１０  ネジ部品
２  中スライドレール
３  外スライドレール
４  ストッパブロック
４１、４２  チャネル
４３  係止ブロック
５  着脱装置
５１  位置決め孔
５２  係止部
５２２  案内斜側面
５２３  係止溝
５３  細片体
５３１  最細部
５４  折り曲げ部
５４１  最湾曲部分
５５  施力部
５５１  凹部
５５１１  スロット
５５２  施力ブロック
５５３、５５４  両側
５５５  傾斜面
【図１】
0003105928.tif 000003
【図２】
0003105928.tif 000004
【図３】
0003105928.tif 000005
【図４】
0003105928.tif 000006
【図５】
0003105928.tif 000007
【図６】
0003105928.tif 000008
【図７】
0003105928.tif 000009
【図８】
0003105928.tif 000010
【図９】
0003105928.tif 000011
【図１０】
0003105928.tif 000012
【図１１】
0003105928.tif 000013